(57)【要約】      （修正有）【課題】無段変速ベルトエレメントの上下及び表裏を正しい姿勢に整列させることができる無段変速ベルトエレメント用整列フィーダを提供する。【解決手段】表側に突起を形成したヘッド部を設けた板状の無段変速ベルトエレメントＷが投入される傾斜円筒容器１０の底部上に切出し回転盤２１を配設し、切出し回転盤２１を無段変速ベルトエレメントＷに作用する重力を打ち消さない速度で回転させ、切出し回転盤２１にヘッド部を下向きにした表向きの無段変速ベルトエレメントＷを１枚だけ嵌合掛止させるエレメント嵌合孔２１ａを同心円上に多数配設し、該エレメント嵌合孔２１ａにエレメントＷの上下及び表裏が逆になるとエレメントＷを傾斜円筒容器１０下部に滑落させるテーパガイド部を形成し、底部の上方部にエレメントＷのヘッド部の先端を受けてヘッド部が上向きとなって落下排出されるエレメント排出口１０ａを設けたものである。【選択図】図１
2007223769.tif 000002
【特許請求の範囲】
【請求項１】
表側に突起を形成したヘッド部をボディ部に連設した板状の無段変速ベルトエレメントが投入される傾斜円筒容器の底部上に切出し回転盤を配設し、該切出し回転盤を無段変速ベルトエレメントに作用する重力を打ち消さない速度で回転させるとともに、該切出し回転盤にヘッド部を下向きにした表向きの無段変速ベルトエレメントを１枚だけ嵌合掛止させるエレメント嵌合孔を同心円上に多数配設し、該エレメント嵌合孔に無段変速ベルトエレメントの上下及び表裏が逆になると無段変速ベルトエレメントを傾斜円筒容器下部に滑落させるテーパガイド部を形成し、また、傾斜円筒容器底部の上方部に無段変速ベルトエレメントのヘッド部の先端を受けてヘッド部が上向きとなって落下排出されるようにしたエレメント排出口を設けたことを特徴とする無段変速ベルトエレメント用整列フィーダ。
【請求項２】
エレメント嵌合孔に無段変速ベルトエレメントのヘッド部を係止させるヘッド掛止部を設けたことを特徴とする請求項１に記載の無段変速ベルトエレメント用整列フィーダ。
【請求項３】
ヘッド掛止部を先尖り状としたことを特徴とする請求項２に記載の無段変速ベルトエレメント用整列フィーダ。
【請求項４】
テーパガイド部が無段変速ベルトエレメントのボディ部下端を掬い上げて滑落させる左右のボディガイド斜面と、無段変速ベルトエレメントの突起を掬い上げて滑落させる突起ガイド斜面とよりなることを特徴とする請求項１から３に記載の無段変速ベルトエレメント用整列フィーダ。
【請求項５】
左右のボディガイド斜面が中央に向かう下向きの傾斜を有するものとしたことを特徴とする請求項４に記載の無段変速ベルトエレメント用整列フィーダ。
【請求項６】
切出し円盤の複数の同心円上にエレメント嵌合孔を多数配設するとともに、前記各同心円に合わせて傾斜円筒容器底部にエレメント排出口を複数設けたことを特徴とする請求項１から５に記載の無段変速ベルトエレメント用整列フィーダ。
【発明の詳細な説明】
【技術分野】
【０００１】
本発明は無段変速ベルトエレメントの姿勢を正しく整えて送出する無段変速ベルトエレメント用整列フィーダに関するものである。
【背景技術】
【０００２】
従来、振動式のパーツフィーダに切欠き部を形成し、振動を与えられる部品が切欠き部においてバランスを崩して落下するようにして正常な姿勢を維持する部品のみを送出するものがある（例えば、特許文献１参照）。
【０００３】
しかし、無段変速ベルトエレメントは表側に突起を形成したヘッド部をボディ部上に連設する形状をしており、従来のパーツフィーダでは前記のような無段変速ベルトエレメントの表裏および上下を整列させることは難しかった。しかも、振動式のパーツフィーダでは振動発生装置が必要となり装置が高価となるうえに、消費電力が増しランニングコストが高くなるという問題があった。
【特許文献１】特開２００４−２１７３９３号
【発明の開示】
【発明が解決しようとする課題】
【０００４】
本発明は無段変速ベルトエレメントの上下及び表裏を正しい姿勢に整列させることができる無段変速ベルトエレメント用整列フィーダを提供することを目的とするものである。
【課題を解決するための手段】
【０００５】
本発明は、表側に突起を形成したヘッド部をボディ部に連設した板状の無段変速ベルトエレメントが投入される傾斜円筒容器の底部上に切出し回転盤を配設し、該切出し回転盤を無段変速ベルトエレメントに作用する重力を打ち消さない速度で回転させるとともに、該切出し回転盤にヘッド部を下向きにした表向きの無段変速ベルトエレメントを１枚だけ嵌合掛止させるエレメント嵌合孔を同心円上に多数配設し、該エレメント嵌合孔に無段変速ベルトエレメントの上下及び表裏が逆になると無段変速ベルトエレメントを傾斜円筒容器下部に滑落させるテーパガイド部を形成し、また、傾斜円筒容器底部の上方部に無段変速ベルトエレメントのヘッド部の先端を受けてヘッド部が上向きとなって落下排出されるようにしたエレメント排出口を設けた無段変速ベルトエレメント用整列フィーダを請求項１の発明とし、請求項１の発明において、エレメント嵌合孔に無段変速ベルトエレメントのヘッド部を係止させるヘッド掛止部を設けた無段変速ベルトエレメント用整列フィーダを請求項２の発明とし、請求項２の発明において、ヘッド掛止部を先尖り状とした無段変速ベルトエレメント用整列フィーダを請求項３の発明とし、請求項１から３の発明において、テーパガイド部が無段変速ベルトエレメントのボディ部下端を掬い上げて滑落させる左右のボディガイド斜面と、無段変速ベルトエレメントの突起を掬い上げて滑落させる突起ガイド斜面とよりなる無段変速ベルトエレメント用整列フィーダを請求項４の発明とし、請求項４の発明において、左右のボディガイド斜面が中央に向かう下向きの傾斜を有するものとした無段変速ベルトエレメント用整列フィーダを請求項５の発明とし、請求項１から５の発明において、切出し円盤の複数の同心円上にエレメント嵌合孔を多数配設するとともに、前記各同心円に合わせて傾斜円筒容器底部にエレメント排出口を複数設けた無段変速ベルトエレメント用整列フィーダを請求項６の発明とするものである。
【発明の効果】
【０００６】
本発明は、表側に突起を形成したヘッド部をボディ部に連設した板状の無段変速ベルトエレメントが投入される傾斜円筒容器の底部上に切出し回転盤を配設し、該切出し回転盤を無段変速ベルトエレメントに作用する重力を打ち消さない速度で回転させるとともに、該切出し回転盤にヘッド部を下向きにした表向きの無段変速ベルトエレメントを１枚だけ嵌合掛止させるエレメント嵌合孔を同心円上に多数配設し、該エレメント嵌合孔に無段変速ベルトエレメントの上下及び表裏が逆になると無段変速ベルトエレメントを傾斜円筒容器下部に滑落させるテーパガイド部を形成し、また、傾斜円筒容器底部の上方部に無段変速ベルトエレメントのヘッド部の先端を受けてヘッド部が上向きとなって落下排出されるようにしたエレメント排出口を設けたものとしたから、傾斜円筒容器内に投入された無段変速ベルトエレメントのうち上下及び表裏が逆になっているものはエレメント嵌合孔のテーパガイド部により滑り落ちて傾斜円筒容器の下部に滑落し、上下及び表裏が正しい無段変速ベルトエレメントだけがエレメント嵌合孔に掛止され、傾斜円筒容器の上方に移送されて傾斜円筒容器のエレメント排出口より排出されることとなる。また、無段変速ベルトエレメントのヘッド部先端はエレメント排出口に掛止されて、無段変速ベルトエレメントはヘッド部を上向きにした姿勢で排出されることとなる。
【０００７】
また請求項２のように、エレメント嵌合孔に無段変速ベルトエレメントのヘッド部を係止させるヘッド掛止部を設けたことにより、ヘッド部を下向きとした正姿勢の無段変速ベルトエレメントのヘッド部を確実に掛止してエレメント嵌合孔に無段変速ベルトエレメントを嵌合掛止させることができる。
【０００８】
請求項３のように、ヘッド掛止部を先尖り状とすることにより、ヘッド部を下向きとした正姿勢の無段変速ベルトエレメントのヘッド部をより的確に掛止することができるので、切出し円盤の速度を早めてもエレメント嵌合孔内に収納された正しい姿勢の無段変速ベルトエレメントが振動や重なり合う他の無段変速ベルトエレメントにより掛止が外れて滑落することを確実に防止できるので、切出し回転盤の回転速度を高めても選別が確実に行われるので処理能力を向上させることができる。
【０００９】
また、請求項４のように、テーパガイド部が無段変速ベルトエレメントのボディ部下端を掬い上げて滑落させる左右のボディガイド斜面と、無段変速ベルトエレメントの突起を掬い上げて滑落させる突起ガイド斜面とよりなるものとすることにより、駆動機構を用いず重力により上下逆や裏返しのものと正姿勢のものとを素早く選別することができる。
【００１０】
請求項５のように、左右のボディガイド斜面が中央に向かう下向きの傾斜を有するものとすることにより、上下逆の無段変速ベルトエレメントのボディ部はより円滑にエレメント嵌合孔内から滑落させることができ、無段変速ベルトエレメントの滑落が円滑に行われることにより切出し回転盤の回転速度を高めても選別が的確に行われるので処理能力を向上させることができる。
【００１１】
請求項６のように、切出し回転盤の複数の同心円上にエレメント嵌合孔が多数配設するとともに、前記各同心円に合わせて傾斜円筒容器底部にエレメント排出口を複数設けたことにより、切出し回転盤が１回転する間に排出される無段変速ベルトエレメント数は増すこととなり処理能力を大幅に向上させることができる。
【発明を実施するための最良の形態】
【００１２】
次に、本発明の好ましい実施の形態を図に基づいて詳細に説明する。
図１、２中、１は加工工程から送り込まれてきた板状の無段変速ベルトエレメントＷの上下及び表裏を整列させる整列フィーダであり、整列を行う無段変速ベルトエレメントＷは図１２、１３に示されように、表側に突起Ｖを形成したヘッド部Ｈをボディ部Ｂに連設した形状としている。
【００１３】
前記整列フィーダ１は図１、２に示されるように、上面を開口とするとともに底部１４にエレメント排出口１０ａを形成した傾斜円筒容器１０と、該傾斜円筒容器１０の底部１４上面で回転する切出し回転盤２１とからなる。傾斜円筒容器１０のエレメント排出口１０ａは図３、４、５に示されるように、傾斜最上部から切出し円盤２１の回転方向側に向かう横長形状とされ、且つ後記するエレメント嵌合孔２１ａの上下切欠幅よりも上下孔幅が小さいので、エレメント排出口１０ａの下方側端縁はエレメント嵌合孔２１ａから露呈することとなる。このため、エレメント嵌合孔２１ａに嵌合掛止されて移送される無段変速ベルトエレメントＷがエレメント排出口１０ａ位置に移動されると、無段変速ベルトエレメントＷのヘッド部Ｈの先端下面はエレメント排出口１０ａの下縁に受けられることとなる。この結果、無段変速ベルトエレメントＷは時計回り方向に回転しながら落下することとなり、無段変速ベルトエレメントＷのヘッド部Ｈを上にしてシュート３に送り出されることとなる。
【００１４】
また、切出し回転盤２１に形成されるエレメント嵌合孔２１ａは図３、４、１１に示されるように、上側を開口させた無段変速ベルトエレメントＷの外形と略等しい形状とし、且つ無段変速ベルトエレメントＷの厚みと略等しい深さを有するもので、同心円状に多数配設されている。また、エレメント嵌合孔２１ａの下端面には無段変速ベルトエレメントＷが上下逆及び裏返しになると無段変速ベルトエレメントＷをエレメント嵌合孔２１ａから滑落させるテーパガイド部２２と、無段変速ベルトエレメントＷのヘッド部Ｈを係止するヘッド掛止部２４とが形成されている。
【００１５】
前記テーパガイド部２２は上下が反転してエレメント嵌合孔２１ａに嵌り込んでいる無段変速ベルトエレメントＷのボディ部Ｂ下端を掬い上げてエレメント嵌合孔２１ａから滑落させる左右のボディガイド斜面２２ａと、エレメント嵌合孔２１ａの下端面中央に形成されて裏向きの無段変速ベルトエレメントＷの突起Ｖを介入させる凹弧面２３と、裏向きの無段変速ベルトエレメントＷの突起Ｖを掬い上げて滑落させる突起ガイド斜面２３ａとよりなり、該突起ガイド斜面２３ａは凹弧面２３に形成される。
【００１６】
また、前記左右のボディガイド斜面２２ａは左右から中央に向けて下向きの傾斜をもたせて上下が反転した無段変速ベルトエレメントＷのボディ部Ｂ下端の掬い上げが円滑に行われるようにしている。
【００１７】
さらに、前記ヘッド係止部２４は図８、９に示されるように、凹弧面２３の突起ガイド斜面２３ａとボディガイド斜面２２ａの交差部下面をテーパ状に切欠して先尖り状としたものであり、先尖り状のヘッド係止部２４はエレメント嵌合孔２１ａの厚みの略中間位置に形成されるものとしている。ヘッド係止部２４を先尖り状とすることにより、表向きの正しい姿勢を保持している無段変速ベルトエレメントＷのヘッド部Ｈを確実に掛止して振動等により掛止が解けて切出し回転盤２１の下方に滑落することがないようにしている。
【００１８】
このように構成されたものは、先ず、成形加工された無段変速ベルトエレメントＷを整列フィーダ１投入する。整列フィーダ１に投入された無段変速ベルトエレメントＷは図２に示されるように、整列フィーダ１の傾斜円筒容器１０の底部に堆積することとなるが、無段変速ベルトエレメントＷは回転する切出し回転盤２１の各エレメント嵌合孔２１ａに１枚だけ嵌合されて傾斜円筒容器１０の上方に持ち上げられていく。
【００１９】
このとき図６に示されるように、エレメント嵌合孔２１ａに正姿勢で嵌合された無段変速ベルトエレメントＷはヘッド係止部２４にヘッド部Ｈを的確に掛止され、滑落することがない。そして、エレメント嵌合孔２１ａへの嵌合が不十分な無段変速ベルトエレメントＷはエレメント嵌合孔２１ａ内に掛止されず傾斜円筒容器１０の底部に滑落する。また、上下が反転している無段変速ベルトエレメントＷはそのボディ部Ｂがエレメント嵌合孔２１ａのボディガイド斜面２２ａにより掬い上げられて傾斜円筒容器１０の底部に滑落する。さらに、表裏が裏返っている無段変速ベルトエレメントＷは突起Ｖが切出し回転盤２１側に面しているため、図７、８、９に示されるように、ヘッド部Ｈの下縁はヘッド掛止面２４より上方に位置することとなって、ヘッド掛止面２４に掛止されることなく突起ガイド斜面２３ａに乗り上げてエレメント嵌合孔２１ａに係止されされることなく傾斜円筒容器１０の底部に滑落することとなる。
【００２０】
そして、エレメント嵌合孔２１ａに嵌合された正姿勢の無段変速ベルトエレメントＷは図３、４、５に示されるように、傾斜円筒容器１０の上方に送り込まれエレメント排出口１０ａよりシュート３に送り込まれる。該エレメント排出口１０ａの上下孔幅はエレメント嵌合孔２１ａの上下切欠幅より小さいので、エレメント排出口１０ａの下方側端縁はエレメント嵌合孔２１ａから露呈し、無段変速ベルトエレメントＷのヘッド部Ｈの先端下面はエレメント排出口１０ａの下縁に受けられることとなる。このため無段変速ベルトエレメントＷは時計回り方向に回転しながら落下し、図５に示されるように、ヘッド部Ｈを上にしてボディ部Ｂからシュート３上に送り込まれることとなる。
【００２１】
なお、前記好ましい実施の形態ではエレメント嵌合孔２１ａは切出し円盤２１の一つの同心円上に多数配設したものとしているが、切出し回転盤２１上の複数の同心円上にエレメント嵌合孔２１ａを多数配設し、該同心円に合わせて傾斜円筒容器１０の底部１４に複数のエレメント排出口１０ａを設けたものとすれば、切出し回転盤が１回転する間にエレメント排出口１０ａより排出される無段変速ベルトエレメントＷの数量を大幅に増加させることができることは勿論である。
【図面の簡単な説明】
【００２２】
【図１】本発明の好ましい実施の形態を示す正面図である。
【図２】同じく一部切欠側面図である。
【図３】同じく無段変速ベルトエレメントの選別状態を示す平面図である。
【図４】無段変速ベルトエレメントの排出状態を示す一部切欠拡大平面図である。
【図５】同じく無段変速ベルトエレメントの排出状態を示す一部切欠拡大側面図である。
【図６】エレメント嵌合孔に無段変速ベルトエレメントが嵌合掛止された状態を示す平面図である。
【図７】同じく裏向きの無段変速ベルトエレメントがテーパガイド部により掬い上げられて滑落する状態を示す平面図である。
【図８】同じく裏向きの無段変速ベルトエレメントがテーパガイド部により掬い上げられて滑落する状態を示す側面図である。
【図９】同じく裏向きの無段変速ベルトエレメントがテーパガイド部により掬い上げられて滑落する状態を示す平面図である。
【図１０】同じく上下が反転した無段変速ベルトエレメントがテーパガイド部により掬い上げられて滑落する状態を示す平面図である。
【図１１】切出し円盤の正面図である。
【図１２】無段変速ベルトエレメントの斜視図である。
【図１３】無段変速ベルトエレメントの正面図である。
【符号の説明】
【００２３】
10  傾斜円筒容器
10a  エレメント排出口
14  底部
21  切出し回転盤
21a  エレメント嵌合孔
22  テーパガイド部
22a  ボディガイド斜面
23  凹弧部
23a  突起ガイド斜面
24  ヘッド掛止部
Ｗ  無段変速ベルトエレメント
Ｂ  ボディ部
Ｈ  ヘッド部
【図１】
2007223769.tif 000003
【図２】
2007223769.tif 000004
【図３】
2007223769.tif 000005
【図４】
2007223769.tif 000006
【図５】
2007223769.tif 000007
【図６】
2007223769.tif 000008
【図７】
2007223769.tif 000009
【図８】
2007223769.tif 000010
【図９】
2007223769.tif 000011
【図１０】
2007223769.tif 000012
【図１１】
2007223769.tif 000013
【図１２】
2007223769.tif 000014
【図１３】
2007223769.tif 000015